(57)【要約】【課題】作業スペースを良好に確保することができる給液装置を提供する。【解決手段】モータ２２で駆動されるポンプ部２３は、水が吸入される吸込口２５及び水が吐出される吐出口２６を有する。吸込側配管３１を吸込口２５と連通させる。吐出側配管３２を吐出口２６と連通させる。バイパス管４７をポンプ部２３の吐出口２６よりも下流側と連通させる。アキュムレータ４をバイパス管４７を介して吐出側配管３２と連通させる。取付具８０をアキュムレータ４に固定する。取付座５をハウジング２の背壁１１ｂに固定する。取付具８０を取付座５にスライド自在に保持させる。これにより、取付具８０を介してアキュムレータ４をスライドさせることができる。【選択図】      図４
2005140004.tif 000002
【特許請求の範囲】
【請求項１】
アキュムレータと、
このアキュムレータに固定された取付具と、
この取付具を介して前記アキュムレータをスライド自在に保持する取付座とを具備することを特徴とするアキュムレータの支持構造。
【請求項２】
外壁を有するハウジングと、
液体が吸入される吸込口及び液体が吐出される吐出口を有するポンプ部と、
このポンプ部を駆動するモータと、
前記ポンプ部の吸込口と連通するように設けられた吸込側配管と、
前記ポンプ部の吐出口と連通するように設けられた吐出側配管と、
前記ポンプ部の吐出口よりも下流側と連通するように設けられたバイパス管と、
前記バイパス管を介して前記吐出側配管と連通するように設けられ、前記吐出側配管内の流体の圧力が所定の圧力を超えた時に前記吐出側配管中の流体の一部を蓄えるとともに、前記吐出側配管内の流体の圧力が所定の圧力以下となった時に蓄えていた流体を放出するアキュムレータと、
前記アキュムレータに固定された取付具と、
前記ハウジングの外壁に固定され、前記取付具をスライド自在に保持することで、この取付具を介して前記アキュムレータをスライド自在に保持する取付座とを具備することを特徴とする給液装置。
【請求項３】
前記取付座は、一方向に沿って延びる長孔を有しているとともに、前記取付具は、前記長孔に沿ってスライドする係合部を有していることを特徴とする請求項２に記載の給液装置。
【請求項４】
前記取付座は、前記ハウジングの外壁面に対して傾斜する傾斜部を有しているとともに、前記長孔は少なくとも前記傾斜部にその傾斜に沿って設けられていることを特徴とする請求項３に記載の給液装置。
【発明の詳細な説明】
【技術分野】
【０００１】
本発明は、アキュムレータ支持構造、及び、アキュムレータを備えた給液装置に関する。
【背景技術】
【０００２】
給水装置としては、アキュムレータをポンプ部の吐出口よりも下流側と連通するように（ポンプ部の２次側近傍や吐出側配管等と連通するように）設けたものが知られている。給水装置におけるアキュムレータの必要性としては、以下のようなことが挙げられる。
【０００３】
すなわち、給水装置では、蛇口を開けた時に末端に水を連続的に供給する（水を断続させないように供給する）ことが望まれる。しかしながら、アキュムレータを備えていない給水装置では、吐出側配管内が全て水で満たされており、且つ、末端で水が使用されていない状態（流量ゼロ、ポンプ部停止）で末端の蛇口を開くと、水を断続させてしまうことがある。これは、蛇口を開いた直後においては、吐出側配管の水が末端から供給されるためであり、これにより、吐出側配管内の圧力が急激に低下するので、ポンプ部が起動するまでの間、末端では必要とする水が得られない。これに対し、アキュムレータを備えた給水装置では、ポンプ部が起動するまでの間、アキュムレータに蓄えていた水を放出することで末端から水を断続させることなく供給することができる。
【０００４】
このような給水装置としては、アキュムレータをポンプユニットに組み込んでなるものが知られている。また、給水装置としては、アキュムレータを以下のようにして固定したものが知られている。水が流通する流通部に雄ねじを設けたアキュムレータを用意する。雌ねじを設けた固定用の座を有する連通管を用意する。給水装置のハウジング内に水平方向に張り出す取付座を設ける。取付座に連通管を取付ける。可撓継手を介して、連通管と吐出側配管とを連通させる。連通管の雌ねじにアキュムレータの雄ねじ部をねじ込む。これにより、アキュムレータを固定用の座に固定することができるとともに、アキュムレータと吐出側配管とを連通させることができる。
【０００５】
さらに、給水装置としては、アキュムレータを以下のようにして固定したものが知られている。水が流通する流通部に雄ねじを設けたアキュムレータを用意する。一端部に雌ねじを設けた固定部材を有する分岐配管を用意する。分岐配管の一端部に設けられた雌ねじにアキュムレータの雄ねじをねじ込むとともに、分岐配管の他端部を吐出側配管と連通させる。これにより、アキュムレータを分岐配管に固定することができるとともに、アキュムレータと吐出側配管とを連通させることができる。
【発明の開示】
【発明が解決しようとする課題】
【０００６】
ところで、給水装置においては、設置後に、モータや制御盤等の点検やメンテナンス、或いは、故障部分の修理等を行うことがある。よって、給水装置は、設置後に上述のような作業を行う作業スペースを確保できるように設計するのが好ましい。
【０００７】
しかしながら、アキュムレータは、給水装置の構成要素の中でも比較的大きな体積を有するものであるため、アキュムレータを備えた給水装置では、アキュムレータと配管類とが隣接する部分等において十分な作業スペースを確保することが困難である。
【０００８】
また、ポンプユニットは、小型化することが望まれている。したがって、アキュムレータを組み込んでなるポンプユニットは、その外形状が大型化してしまうため、好ましくない。
【０００９】
本発明は、このような事情にもとづいてなされたもので、作業スペースを良好に確保することができるアキュムレータ支持構造及び給液装置の提供を目的とする。
【課題を解決するための手段】
【００１０】
本発明の１つの形態に係るアキュムレータ支持構造は、アキュムレータと、このアキュムレータに固定された取付具と、この取付具を介して前記アキュムレータをスライド自在に保持する取付座とを具備する。
【００１１】
また、本発明の１つの形態に係る給液装置は、外壁を有するハウジングと、液体が吸入される吸込口及び液体が吐出される吐出口を有するポンプ部と、このポンプ部を駆動するモータと、前記ポンプ部の吸込口と連通するように設けられた吸込側配管と、前記ポンプ部の吐出口と連通するように設けられた吐出側配管と、前記ポンプ部の吐出口よりも下流側と連通するように設けられたバイパス管と、前記バイパス管を介して前記吐出側配管と連通するように設けられ、前記吐出側配管内の流体の圧力が所定の圧力を超えた時に前記吐出側配管中の流体の一部を蓄えるとともに、前記吐出側配管内の流体の圧力が所定の圧力以下となった時に蓄えていた流体を放出するアキュムレータと、前記アキュムレータに固定された取付具と、前記ハウジングの外壁に固定され、前記取付具をスライド自在に保持することで、この取付具を介して前記アキュムレータをスライド自在に保持する取付座とを具備する。
【発明の効果】
【００１２】
本発明によれば、作業スペースを良好に確保することができるアキュムレータ支持構造及び給液装置が得られる。
【発明を実施するための最良の形態】
【００１３】
以下、本発明の一実施形態を、図１〜図４を参照して説明する。  
給液装置は、例えば、家庭に水を供給する給水装置１であって、ハウジング２（図３参照）、ポンプユニット３（図１参照）、アキュムレータ４（図１、図３、及び図４参照）、取付具８０（図３及び図４参照）、及び取付座５（図１、図３、及び図４参照）等を備えている。
【００１４】
図３に示すように、ハウジング２としては、例えば、ケース１０とカバー１７とを備えて、縦置きされるものを用いることができる。図１及び図３に示すように、ケース１０は、ケース本体１１、裾部材１２、取付部材１３、補強部材１４、及び架台１５等を備えている。
【００１５】
ケース本体１１は、左右方向に延びる底壁１１ａと、この底壁１１ａの後端縁から上方に延びる背壁１１ｂとを有して略Ｌ字状に形成されている。裾部材１２は、ケース本体１１の両側方下端部を夫々被うように底壁１１ａの両側縁から夫々上方に延びる一対の側裾壁１２ａと、これら側裾壁１２ａの前端縁及び底壁１１ａの前端縁からケース本体１１の前方下端部を被うように設けられた略Ｕ字状の前裾壁１２ｂとを有している。この裾部材１２は、ケース本体１１に溶接等により取付けられている。
【００１６】
給水装置１を図示しない壁等に取付けるための取付部材１３は、鉛直部１３ａと、この鉛直部１３ａの上端縁から前方に延びる水平部１３ｂと、水平部１３ｂと直交し且つ鉛直部１３ａの上端縁から上方に延びるように立上る略等脚台形状の取付片１３ｃとを有している。取付部材１３は、鉛直部１３ａを背壁１１ｂの外面（後面）側に重ねた状態で、当該背壁１１ｂに固定されている。これにより、水平部１３ｂは、背壁１１ｂの上端縁から前方に延びるように設けられ、取付片１１ｃは、ケース本体１１の上方に突出するように設けられる。また、取付部材１３を背壁１１ｂに固定した状態においては、取付片１３ｃは、ケース１０の左右方向略中央部に配設される。取付片１３ｃの略中央部には、給水装置１を前記壁等に取付ける際にねじ（図示せず）等の固定具を貫通させるための通孔１３ｅが形成されている。
【００１７】
補強部材１４は、鉛直部１４ａと、この鉛直部１４ａの上端縁から前方に延びる水平部１４ｂとを有して、略逆Ｌ字状に形成されている。この補強部材１４は、背壁１１ｂと水平部１３ｂとにより形成される角部を補強するように、当該角部の内面側に固定されている。直方体枠状の架台１５は、ポンプユニット３を支持するものであり、底壁１１ａの内面側から上方に立上るように、当該底壁１１ａの内面に固定されている。
【００１８】
カバー１７は、左右方向に延びる上壁１８ａと、この上壁１８ａの前端縁から下方に延びる前壁１８ｂと、この前壁１８ｂの両側縁から夫々後方に延びる一対の側壁１８ｃとを有して、ケースの開放する上方、前側、及び左右両側を被うように形成されている。この構造により、ハウジング２は、上下方向に延びる箱状に形成される。
【００１９】
ハウジング２内には、例えば、向かって上段右側に位置して、ポンプユニット３が架台１５に支持された状態で設けられている。このポンプユニット３は、複数、例えば２台の縦型ポンプ２０ａ，２０ｂと、吸込／吐出系統３０とを組み合わせた構造となっている。具体的には、２台の縦型ポンプ２０ａ，２０ｂは、左右方向に並列に配置されている。これら縦型ポンプ２０ａ，２０ｂとしては、上側に配設された縦向きのモータ（例えばブラシレスＤＣモータ）２２と、モータ２２の出力軸と直結させた状態でモータ２２の下側に配設されたポンプ部（例えば多段タービン式ポンプ）２３とを有して構成されている。ポンプ部２３は、モータ２２によって駆動される。
【００２０】
各モータ２２の上部には、冷却ファン２４が装備されている。冷却ファン２４は、モータ２２の上端部に被さるように組み合う有底筒状のケーシング２４ａと、ケーシング２４ａに内蔵されたインペラ２４ｂとを有している。インペラ２４ｂとしては、モータ２２の出力軸に直結されるモータ直動式のインペラを用いることができる。ケーシング２４ａのインペラ２４ｂと向き合う上壁には、空気吸込口（図示せず）が形成されている。また、ケーシング２４ａの下側には、モータ２２の外周面沿い開口する空気吹出口（図示せず）が形成されている。よって、インペラ２４ｂが回転すると、吸込口からケーシング２４ａ内の天井付近の空気を吸込み、これを吹出口からモータ２２の外周面沿いに吹出すので、発熱するモータ２２が冷却される。
【００２１】
ポンプ部２３は、下部中央に設けられて水が吸入される吸込口２５と、前側に突出するように設けられて水が吐出される吐出口２６とを有しており、モータ２２が回転すると、吸込口２５から水を吸込み、これを増圧しながら吐出口２６から吐出させる構造となっている。各ポンプ部２３の吸込口２５には、下方に延出する吸込配管２７が取付けられている。また、各ポンプ部２３の吐出口２６には、略逆Ｌ字状の吐出配管２８が取付けられている。
【００２２】
図１及び図２に示すように、吸込／吐出系統３０は、各吸込配管２７の下端部を左右方向に連通する吸込側配管としての吸込側配管３１と、各吐出配管２８の下端部を左右方向に連通する吐出側配管としての吐出側配管３２とを有している。すなわち、ポンプ部２３の吸込口２５は、吸込配管２７を介して、吸込側配管３１と連通している。また、ポンプ部２３の吐出口２６は、吐出側配管３２と連通している。
【００２３】
吸込側配管３１は、吐出側配管３２の後方にこれと略平行に並んで配置されている。これら配管３１，３２は、右側端部がハウジング２の右側壁近傍まで延出し、且つ、左側端部がハウジング２の左右方向中央部近傍まで延びる配管部材で構成されている。
【００２４】
図２に示すように、吸込側配管３１の左端部には、例えば、チャック弁３３、及び水道本管６の圧力検出用の圧力検出器３５を備えた下向きエルボ３６等がこの順序で接続されている。この場合、エルボ３６の下端部が水道本管６に繋がる入口３６ａとなる。これにより、この入口３６ａからポンプ部２３の吸込口２５に至る吸込側の配管系統が形成されている。なお、吸込側配管３１には逆流防止装置を設けてもよい。
【００２５】
図１に示すように、吐出側配管３２には、この吐出側配管３２の左端部近傍に位置して、縦型ポンプ２０ａ，２０ｂの運転を制御する流量検出部、例えば少水量停止用のパドル式の流量検出器４４が組み込まれている。また、吐出側配管３２の左端部には、メンテナンス用の開閉弁４５、及び下向きエルボ４６等がこの順序で接続されている。この場合、エルボ４６の下端部が給水配管（蛇口と連通する配管）７に繋がる出口４６ａとなる。これにより、この出口４６ａからポンプ部２３の吐出口２６に至る吐出側の配管系統が形成されている。さらに、図示しないが、吐出側配管３２は、給水配管７からの吐出圧力を検出するための圧力検出器を備えている。また、吐出側配管３２は、この吐出側配管３２と連通するバイパス管４７を有している。すなわち、バイパス管４７は、ポンプ部２３の吐出口２６よりも下流側と連通するように設けられることとなる。
【００２６】
ハウジング２内には、ポンプユニット３の左側方に位置して、エネルギー（水圧）を蓄積及び放出するアキュムレータ４が設けられている。アキュムレータ４としては、例えば、圧縮ガスが封入される気室及び水が満たされる液室を有する圧力容器５０と、気室と液室とを仕切る仕切り膜（図示せず）とを備えて、水を蓄積及び放出するように構成したものを用いることができる。
【００２７】
アキュムレータ４は、水を液室内に導入するとともに、液室内から水を外部に放出するための流通部５１を有している。流通部５１は、例えば、圧力容器５０の下端部に設けられている。アキュムレータ４の流通部５１は、フレキシブル管５２及びバイパス管４７を介して、吐出側配管３２と連通している。
【００２８】
よって、アキュムレータ４は、吐出側配管３２内の水圧が所定の圧力を超えた時に、流通部５１を介して水を液室内に導入させて液室内に蓄えるとともに、吐出側配管３２内の水圧が所定の圧力以下となった時に液室内に蓄えていた水を吐出側配管３２に放出する。このように、この給水装置１では、アキュムレータ４の内部で水を蓄えることができるようになっている。
【００２９】
また、図示しないが、ハウジング２内には、制御盤が収容されている。この制御盤は、インバータ等の制御機器、マイクロコンピュータ等で構成された制御部等を備えている。制御盤は、ケーブル類を通じて、モータ２２、圧力検出器３５、流量検出器４４等の各種機器と電気的に接続されていて、２台の縦型ポンプ２０ａ，２０ｂの交互運転や、使用水量に応じた運転が行えるようになっている。
【００３０】
上述のように構成された給水装置は、以下のように動作する。
【００３１】
エルボ３６に水道本管６を接続するとともに、エルボ４６に給水配管７を接続し、制御盤を操作して給水装置１をオンする。
【００３２】
制御盤に内蔵された制御部が、吐出側配管３２側の圧力検出器３５からの圧力信号により吐出圧力が目標圧力よりも低いと検出したとする。その場合、制御部は、吐出圧力が上記目標圧力となるように、吸込圧力（吸込側配管３１側の圧力検出器３５により検出される圧力）と吐出圧力（吐出側配管３２側の圧力検出器により検出される圧力）との差圧を制御する必要がある。よって、制御部は、予め設定された制御内容にしたがって、２つのポンプ２０ａ，２０ｂのうちの一方、例えば、ポンプ２０ａをインバータ運転させる。これにより、チャック弁３３、吸込側配管３１、及び吸込配管２７を通じて吸込まれる水道本管６からの水が一定圧となるように増圧され、増圧された水が吐出配管２８、吐出側配管３２、流量検出器４４、及び開閉弁４５を通じて、給水配管７に送られ、蛇口に供給される。なお、使用水量が少なくなると、流量検出器４４の流量信号にしたがい、ポンプ２０ａの回転数（能力）を低下させる。また、所定使用水量以下になると、ポンプ２０ａの運転を停止させ、アキュムレータ４による給水に変える。したがって、吐出側配管３２を流通する水の量によらず、給水装置１と連通する末端に水を連続的に供給することができる。
【００３３】
また、運転中に、吐出側配管３２側の圧力検出器が検出する圧力が所定値を超えた圧力になったとする。その場合、給水配管７に向かう水の一部が、バイパス管４７を介して、アキュムレータ４に導かれる。したがって、アキュムレータ４により、吐出側配管３２側の水圧を安定化させることができる。また、これによりアキュムレータ４内に水を蓄積させることができるので、上述のように、吐出側配管３２側の水量が所定水量以下となったときに、アキュムレータ４によって吐出側配管３２に水を供給することができる。
【００３４】
さらに、一旦ポンプ２０ａの運転が停止された後に、再びポンプ運転による給水が再開される場合には、ポンプ２０ｂの運転をはじめるという交互運転を開始して、先に述べたのと同様に、インバータ運転による給水が行われる。
【００３５】
次に、アキュムレータ支持構造１００について説明する。  
図１、図３、及び図４に示すように、ハウジング２の背壁１１ｂには、アキュムレータ４を取付けるための取付座５が固定されている。また、アキュムレータ４の流通部５１には、取付具８０が固定されている。アキュムレータ４は、取付具８０を介して取付座５にスライド自在に保持されている。
【００３６】
詳しくは、取付座５は、上下方向に延びる第１の取付部６１、この取付部６１の上端縁から前方に向かって水平方向（第１の取付部６１と略直交する方向）に張り出す第１の張り出し部６２、この張り出し部６２の前端縁から上方に向かって（第１の張り出し部６２と略直交する方向に向かって）延びる鉛直部６３、この鉛直部６３の上端縁から斜め上前方に向けて傾斜する傾斜部としてのテーパ部６４、テーパ部６４の上端縁から後方に向かって水平方向（第１の張り出し部６２と略平行な方向）に張り出す第２の張り出し部６５、及び、この張り出し部６５の後端縁から上方に向かって（第１の取付部６１と略平行な方向に向かって）延びる第２の取付部６６を有している（図３及び図４参照）。
【００３７】
第１及び第２の取付部６１，６６は、互いに略同一面上に位置するように形成されている。第１及び第２の取付部６５，６６には、ねじが貫通するねじ孔（図示せず）があけられている。第１及び第２の取付部６５，６６を背壁１１ｂにねじ止めすることで、取付座５はハウジング２に固定されている。また、取付座５は、鉛直部６３からテーパ部６４に連なるように上下方向に延びる１以上、例えば、２つの長孔７１（図１参照）を有している。これらの長孔７１は、互いに平行に設けられている。すなわち、長孔７１は、鉛直部６３に沿って設けられるとともに、さらにこれと連続し、且つ、テーパ部５４の傾斜に沿って設けられている。
【００３８】
取付具８０は、アキュムレータ４の流通部５１から取付座５の鉛直部６３に向かって斜め下後方に張り出す本体部８１と、この本体部８１の下端部から両側方に張り出す一対の張り出し片８２が設けられている。張り出し片８２には、一対のボルト、例えば蝶ボルト８３が貫通するねじ孔があけられている。本実施形態では、蝶ボルト８３（詳しくは、蝶ボルト８の雄ねじ部）が長孔７１に沿ってスライドする係合部として機能する。
【００３９】
アキュムレータ４は、以下のようにして、ハウジング２の背壁１１ｂに固定されている。まず、蝶ボルト８３を張り出し片８２のねじ孔、取付座５の長孔７１の下端部、ナット８４の順序で貫通させる。蝶ボルト８３をナット８４にねじ込み、蝶ボルト８３の頭部とナット８４とにより張り出し片８２と取付座５の鉛直部６３とを挟み込む。これにより、アキュムレータ４は、取付具８０、取付座５を介して、ハウジング２の背壁１１ｂに固定される。
【００４０】
また、メンテナンス時には、アキュムレータ４を以下のようにして上方にスライドさせる。まず、蝶ボルト８３を緩める。蝶ボルト８３を取付具８０とともに長孔７１に沿って上方に移動させる。これにより、取付具８０を介してアキュムレータ４が上方にスライドする。
【００４１】
本実施形態では、長孔７１が鉛直部６３からテーパ部６４に連なるように形成されている。よって、蝶ボルト８３を長孔７１のうちの鉛直部６３に対応する領域をスライドさせている状態では、アキュムレータ４は鉛直方向上側に移動することとなる。これにより、上記チャック弁３３の上方付近に作業スペースを確保することができる。
【００４２】
また、蝶ボルト８３を長孔７１のうちのテーパ部６４に対応する領域までスライドさせると、アキュムレータ４は、上斜め前方に移動する。このように、取付座５にテーパ部６４を形成することで、上記取付部材１３の水平部１３ｂや上記補強部材１４の水平部１４ｂといったアキュムレータ４の上方の障害物を避けて、アキュムレータ４をさらに上方に移動させることができる。これにより、上記チャック弁３３の上方付近の作業スペースをさらに広く確保することができる。
【００４３】
所望の位置までアキュムレータをスライドさせたら、蝶ボルト８３をナット８４にねじ込み、蝶ボルト８３の頭部とナット８４とにより張り出し片８２と取付座５とを挟み込む。これにより、アキュムレータ４は、取付具８０、取付座５を介して、所望の位置に停止させることができる。
【００４４】
以上のように、本実施形態のアキュムレータ支持構造１００及び給水装置１によれば、アキュムレータ４と、アキュムレータ４に固定された取付具８０と、この取付具８０を介してアキュムレータ４をスライド自在に保持する取付座５とを備えている。したがって、アキュムレータ４をスライドさせることで、作業スペースを良好に確保することができる。
【００４５】
また、取付座５は、一方向に沿って延びる長孔７１を有しているとともに、取付具８０は、長孔７１に沿ってスライドする蝶ボルト８３を有している。よって、簡単な構成でアキュムレータ４を取付座５に対してスライドさせることができる。
【００４６】
しかも、取付座は、ハウジング２の背壁１１ｂに対して傾斜するテーパ部６４を有しているとともに、長孔７１は、少なくともテーパ部５４にその傾斜に沿って設けられている。よって、アキュムレータ４と隣接して障害物が設けられていたとしても、この障害物を避けてスライド移動させることができる。
【００４７】
なお、本発明のアキュムレータ支持構造では、エネルギーを蓄積及び放出する種々のアキュムレータの取付けに広く適用することができる。
【図面の簡単な説明】
【００４８】
【図１】本発明の一実施形態に係る給水装置をカバーを外した状態で示す正面図。
【図２】図１の給水装置のポンプユニット及び吸込側の配管系統を示す正面図。
【図３】図１の給水装置を一部切り欠いて示す側面図。
【図４】図１の給水装置をアキュムレータをスライドさせた状態で示す断面図。
【符号の説明】
【００４９】
１…給水装置、  ２…ハウジング、  ４…アキュムレータ、  ５…取付座、  ２２…モータ、  ２３…ポンプ部、  ２５…吸込口、  ２６…吐出口、３１…吸込側配管、  ３２…吐出側配管、  ４７…バイパス管、  ６４…テーパ部（傾斜部）、  ７１…長孔、  ８０…取付具、  ８３…蝶ボルト（係合部）、  １００…アキュムレータ支持構造
【図１】
2005140004.tif 000003
【図２】
2005140004.tif 000004
【図３】
2005140004.tif 000005
【図４】
2005140004.tif 000006